(57)【特許請求の範囲】
【請求項１】
洗い場排水の受入口（Ａ）を上部に有すると共に、浴槽排水を浴槽排水流入口（３１）から略接線方向に受け入れてトラップ内で旋回流を形成させる略円筒形の受入室（２０）を有する排水トラップ（１０）において、
該受入室（２０）の底部の中心部に、該受入室（２０）内の水を流出させるための、該受入室（２０）の内径よりも小さい口径の流出口（２３ｃ）を設けた排水トラップであって、
該流出口（２３ｃ）の口径は、前記受入室の内径の２０〜８０％であり、前記流出口（２３ｃ）の下側に、水を排水口（６０）に導くための導水室（４０）が設けられ、
水は該導水室（４０）から立上室（５０）を経て該排水口（６０）に導かれるよう構成されており、
該排水口（６０）は、該立上室（４０）の側面に設けられており、
該排水口（６０）の下縁のレベルが封水面（Ｗ）であり、該封水面（Ｗ）は前記流出口（２３ｃ）よりも上位であり、かつ該封水面（Ｗ）は前記浴槽排水流入口（３１）よりも上位であることを特徴とする排水トラップ。
【請求項２】
請求項１において、前記受入室（２０）の下部は下方ほど縮径するテーパ面となっており、該テーパ面に浴槽排水を該受入室（２０）内に流入させるための開口（３２）が設けられていることを特徴とする排水トラップ。
【請求項３】
請求項２において、前記受入室（２０）の下部内周面は上側環状部（２３ａ）によって構成され、該上側環状部（２３ａ）の内周面が前記テーパ面となっており、
該上側環状部（２３ａ）の外周を周回する環状水路（３０）が設けられており、
前記浴槽排水流入口（３１）からの浴槽排水が該環状水路（３０）から前記開口（３２）を経て前記受入室（２０）内に流入することを特徴とする排水トラップ。
【請求項４】
請求項１ないし３のいずれか１項において、前記受入室（２０）内の上部にヘアキャッチャー（１７）が上方から差し込まれていることを特徴とする排水トラップ。
【発明の詳細な説明】
【技術分野】
【０００１】
本発明は、浴室の洗い場に設けられる排水トラップに係り、特に浴槽排水を受け入れてトラップ内に旋回流を形成させるよう構成された排水トラップに関する。
【背景技術】
【０００２】
洗い場排水を受け入れる洗い場排水受入口が上部に設けられていると共に、浴槽排水を側周面から受入室内に受け入れて該受入室内に旋回流を形成させるようにした排水トラップが特許第３８８６０５５号に記載されている。このトラップの洗い場排水受入口には、上方が開放したカゴ（篭）状のヘアキャッチャーが着脱自在に装着されている。このヘアキャッチャーは、トラップ内の軸心部付近に垂下している。浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【０００３】
この特許第３８８６０５５号の排水トラップにあっては、受入室は略円筒形である。受入室内で旋回流を形成している水は、受入室の周壁の下部から側方へ流出するよう構成されている。
【特許文献１】特許第３８８６０５５号
【発明の開示】
【発明が解決しようとする課題】
【０００４】
上記旋回流形成方式の排水トラップにおいて、浴槽の水位が低い場合、浴槽排水の排水トラップへの流入流速が小さくなり、旋回流速が小さくなり、ヘアキャッチャーの洗浄等が不十分になるおそれがある。
【０００５】
本発明は、このように排水流量が少ない場合でも、旋回流形成方式の排水トラップの受入室内の、旋回流の旋回流速が大きくなり、これによりゴミがヘアキャッチャーの中心に効率よく集められると共に、ヘアキャッチャーの浄化作用も強くなるようにした排水トラップを提供することを目的とする。
【課題を解決するための手段】
【０００６】
請求項１の排水トラップは、洗い場排水の受入口（Ａ）を上部に有すると共に、浴槽排水を浴槽排水流入口（３１）から略接線方向に受け入れてトラップ内で旋回流を形成させる略円筒形の受入室（２０）を有する排水トラップ（１０）において、該受入室（２０）の底部の中心部に、該受入室（２０）内の水を流出させるための、該受入室（２０）の内径よりも小さい口径の流出口（２３ｃ）を設けた排水トラップであって、該流出口（２３ｃ）の口径は、前記受入室の内径の２０〜８０％であり、前記流出口（２３ｃ）の下側に、水を排水口（６０）に導くための導水室（４０）が設けられ、水は該導水室（４０）から立上室（５０）を経て該排水口（６０）に導かれるよう構成されており、該排水口（６０）は、該立上室（４０）の側面に設けられており、該排水口（６０）の下縁のレベルが封水面（Ｗ）であり、該封水面（Ｗ）は前記流出口（２３ｃ）よりも上位であり、かつ該封水面（Ｗ）は前記浴槽排水流入口（３１）よりも上位であることを特徴とするものである。
【０００７】
請求項２の排水トラップは、請求項１において、前記受入室（２０）の下部は下方ほど縮径するテーパ面となっており、該テーパ面に浴槽排水を該受入室（２０）内に流入させるための開口（３２）が設けられていることを特徴とするものである。
【０００８】
請求項３の排水トラップは、請求項２において、前記受入室（２０）の下部内周面は上側環状部（２３ａ）によって構成され、該上側環状部（２３ａ）の内周面が前記テーパ面となっており、該上側環状部（２３ａ）の外周を周回する環状水路（３０）が設けられており、前記浴槽排水流入口（３１）からの浴槽排水が該環状水路（３０）から前記開口（３２）を経て前記受入室（２０）内に流入することを特徴とするものである。
【０００９】
請求項４の排水トラップは、請求項１ないし３のいずれか１項において、前記受入室（２０）内の上部にヘアキャッチャー（１７）が上方から差し込まれていることを特徴とするものである。
【発明の効果】
【００１０】
本発明（請求項１）の排水トラップは、洗い場排水と浴槽排水とを受け入れる旋回流形成方式の排水トラップにおいて、受入室の底部の中心部に、受入室内径よりも小口径の流出口を設け、この流出口から水を流出させるように構成したものである。
【００１１】
この排水トラップの受入室内では、水は、旋回により渦状となる。本発明では、この渦流は、受入室底部中央の小口径の流出口に導かれる。この流出口の口径が受入室の内径よりも小さいので、流出口付近での旋回流速が大きくなる。この結果、受入室への排水流入量が少ない場合でも、受入室内の旋回流速が十分に大きなものとなる。
【００１２】
流出口の口径は、受入室の内径の２０〜８０％である。
【００１３】
本発明の排水トラップにあっては、浴槽排水が流入しない場合、導水室を含めて排水口下縁のレベルまで水が溜まり、封水が形成される。
【発明を実施するための最良の形態】
【００１５】
以下、本発明の実施の形態を図面に基づいて説明する。
【００１６】
第１図は排水トラップの正面図、第２図は排水トラップの平面図、第３図は排水トラップの左側面図、第４図は第２図のIV−IV線断面図、第５図は第２図のＶ−Ｖ線断面図、第６図は第１図のVI−VI線断面図、第７図は第４図のVII−VII線断面図、第８図は、実施の形態に係る排水トラップを備えた浴室の概略斜視図である。
【００１７】
第８図の通り、洗い場パン２の浴槽３側に排水枡６が一体形成されている。この排水枡６に対し下側から排水トラップ１０が連結されている。
【００１８】
第８図に示すように、排水トラップ１０の側面の流入口３１と浴槽３の底面の排水口３ａとが配管４を介して接続されている。
【００１９】
また、排水トラップ１０の上面部には、洗い場２側からの排水が排水枡６を通り流入する洗い場排水受入口Ａ（第４，５図）が設けられている。排水トラップ１０の流入口３１とほぼ反対側の側面の排水口６０には排水管７が接続されている。
【００２０】
第４図に示すように、排水枡６は洗い場パン２と一体状に凹み状に形成されている。その上面には排水目皿８（第８図）が覆設されている。
【００２１】
排水枡６の底側にはフランジ部材１５がパッキン（図示略）を介して取り付けられ、このフランジ部材１５にネジ込み方式により、排水トラップ１０の上端が取り付けられている。フランジ部材１５を通して排水トラップ１０内に上方から着脱可能にヘアキャッチャー１７が差し込まれている。このヘアキャッチャー１７は、上面が開いたカゴ（篭）状である。
【００２２】
この実施の形態では、ヘアキャッチャー１７は下方側へ向かって縮径する略逆円錐台形状を有する。ヘアキャッチャー１７は、その下端が排水トラップ１０内の封水面Ｗよりも若干上方に位置するようにフランジ部材１５に支持されている。なお、ヘアキャッチャー１７は、排水トラップ１０内に形成される旋回流によって上方に押されても浮き上がらないようにフランジ部材１５に係止部１５ａによって係止されている。
【００２３】
排水トラップ１０の構成について次に詳細に説明する。
【００２４】
この排水トラップ１０は、受入室２０と、該受入室２０の下部を周回する環状水路３０と、受入室２０の下側の導水室４０と、該導水室４０から立ち上がる立上室５０と、該立上室５０の側面に開口する排水口６０とから主として構成されている。
【００２５】
受入室２０の上部は、筒軸方向を鉛直方向とした円筒形のアッパーハウジング２１にて構成されている。このアッパーハウジング２１の下側に円筒形のロワーハウジング２２が同軸的に連結されている。ロワーハウジング２２の内周に流出口部材としてのインナーハウジング２３が設けられている。アッパーハウジング２１及びインナーハウジング２３の内側が受入室２０となっている。ロワーハウジング２２とインナーハウジング２３との間が環状水路３０となっている。ロワーハウジング２２の下端からは縮径方向に底面部２２ｂが張り出している。
【００２６】
インナーハウジング２３は、ロワーハウジング２２の内周壁面に対峙する上側環状部２３ａと、導水室４０内に入り込む略円筒形のスロート部２３ｂとを有している。なお、上側環状部２３ａは省略されてもよい。インナーハウジング２３の内周面は、下方ほど縮径するテーパ状となっているが、これに限定されない。スロート部２３ｂの下端が流出口２３ｃとなっている。この流出口２３ｃの口径は、受入室２０の最大の内径（この実施の形態では、アッパーハウジング２１の内径）の２０〜８０％特に３０〜６０％であることが好ましい。
【００２７】
第６図に示す通り、環状水路３０に接線方向に連なるように管状の流入口３１がロワーハウジング２２と一体に設けられている。インナーハウジング２３の上側環状部２３ａには、環状水路３０内を受入室２０内に連通する開口３２が複数個（この実施の形態では２個）設けられている。これらの開口３２は、周方向に延在した長孔よりなる。
【００２８】
導水室４０は、上開容器形のボトムハウジング４１と、該ボトムハウジング４１に被さるリッドプレート４２とによって囲まれている。ボトムハウジング４１及びリッドプレート４２は、インナーハウジング２３のスロート部２３ｂから遠ざかる方向に延在している。リッドプレート４２の長手方向の一端側と他端側にそれぞれ開口４２ａ、４２ｂが設けられている。
【００２９】
開口４２ａの上縁部にインナーハウジング２２の底面部２２ｂが重なり、スロート部２３ｂが上方から該開口４２ａ内に差し込まれている。
【００３０】
開口４２ｂからは出口ハウジング５１が立設され、この出口ハウジング５１内が立上室５０となっている。この立上室５０は、開口４２ｂを介して導水室４０内と連通している。出口ハウジング５１の上部の側面に排水口６０が開口している。この排水口６０の下縁が封水面Ｗとなっている。
【００３１】
なお、この実施の形態では、インナーハウジング２３が上側環状部２３ａとスロート部２３ｂとを一体化したものとなっているが、スロート部２３ｂはインナーハウジング２３とは別体とされ、リッドプレート４２と一体とされてもよい。
【００３２】
このように構成された排水トラップの作動について次に説明する。
【００３３】
水を張った浴槽３の排水口３ａの排水栓を抜くと、浴槽３内の水が流入口３１から排水トラップ１０の環状水路３０内に流入し、旋回方向に流れながら開口３２から受入室２０内に流入し、この受入室２０内に渦状の旋回流を形成する。受入室２０内の水位は次第に上昇し、ヘアキャッチャー１７あるいはさらに排水枡６が旋回流に浸水した状態となる。これにより、排水枡６の内面やヘアキャッチャー１７に付着しているゴミや毛髪がこすり落とされて、ゴミや髪の毛は渦の中心に集められ、渦の中心から下方へ落下し、ヘアキャッチャー１７の下端の底面中央部に良好に集められる。
【００３４】
受入室２０内で旋回している水の一部は、渦の中心付近からスロート部２３ｂの下端の流出口２３ｃを通って導水室４０へ流出する。その後、水は、立上室５０を経て排水口６０から流出する。
【００３５】
上記のように、受入室２０内の渦状の旋回流が小口径の流出口２３ｃを経て下方の導水室４０へ流出する。この流出口２３ｃ付近では、旋回半径が受入室２０内における旋回半径よりも小さいため、旋回流速が大きい。この結果、受入室２０内の旋回流も、この流出口２３ｃ付近の高旋回流速に付随して高速となる。この結果、浴槽３の水位が低く流入口３１からの流入水量が少ない場合でも、受入室２０内に強力な旋回流が形成され、ヘアキャッチャー１７や排水枡６が十分に洗浄される。また、ゴミがヘアキャッチャー１７の中心部に効率よく集められる。
【００３６】
特に、この実施の形態では、インナーハウジング２３の内周面が下方に向って徐々に縮径するテーパ状となっているため、受入室２０内の下部の旋回流が流出口２３ｃに向って連続的に増速しながら流れるようになり、旋回流速が効率よく増速される。ただし、インナーハウジング２３はテーパ状でなくてもよい。
【００３７】
浴槽からすべての水が流出すると、旋回流は停止し、排水トラップ１０内には封水面Ｗのレベルの封水が残る。
【００３８】
これにより、排水管７側と洗い場及び浴槽３側とはいずれも封水によって隔絶されることになり、排水管７の臭気が洗い場や浴槽３へ逆流することが防止される。
【００３９】
なお、この実施の形態では、下端に流出口２３ｃを有した筒形のスロート部２３ｂが下方に延設されているので、スロート部２３ｂやインナーハウジング２３の上下方向の浸漬長さが大きく、封水が減少してもトラップ切れしにくい。
【００４０】
上記実施の形態は本発明の一例であり、本発明は図示以外の態様をもとりうる。例えば、開口３２は１個又は３個以上とされてもよい。また、アッパーハウジング、ロワーハウジング及びインナーハウジングはすべて一体化されてもよい。
【図面の簡単な説明】
【００４１】
【図１】排水トラップの正面図である。
【図２】排水トラップの平面図である。
【図３】排水トラップの左側面図である。
【図４】図２のIV−IV線断面図である。
【図５】図２のＶ−Ｖ線断面図である。
【図６】図１のVI−VI線断面図である。
【図７】図４のVII−VII線断面図である。
【図８】実施の形態に係る排水トラップを備えた浴室の斜視図である。
【符号の説明】
【００４２】
３  浴槽
６  排水枡
１０  排水トラップ
１７  ヘアキャッチャー
２０  受入室
２１  アッパーハウジング
２２  ロワーハウジング
２３  インナーハウジング
２３ａ  上側環状体
２３ｂ  スロート部
２３ｃ  流出口
３０  環状水路
３１  流入口
３２  開口
４０  導水室
４１  ボトムハウジング
４２  リッドプレート
５０  立上室
６０  排水口
【図１】
0004858416.tif 000002
【図２】
0004858416.tif 000003
【図３】
0004858416.tif 000004
【図４】
0004858416.tif 000005
【図５】
0004858416.tif 000006
【図６】
0004858416.tif 000007
【図７】
0004858416.tif 000008
【図８】
0004858416.tif 000009